(57)【要約】【課題】  構造が簡単で安価に提供することができ、且つ熟練を要することなく容易に仕上げ材などのレベルを出すことのできるレベル調節具を提供することを目的とする。【解決手段】  天板２の裏面の外周部に断熱材６に突き刺し支持する複数の支持脚３を突設し、前記天板２の裏面中央に容易に切断可能の調節脚４を突設すると共に、当該調節脚４に所定の間隔で複数の板体５を形成する。【効果】  仕上げ材などの裏面と断熱材の表面との間隔に応じて、適切な位置で前記調節脚を切断し、前記支持脚を断熱材に突き刺して取り付けることにより、天板の表面が仕上げ材などの裏面に一致し、このレベル調節具に合わせて仕上げ材などを取り付けることにより、そのレベルを正確に出すことができる。【選択図】          図１
2008095462.tif 000002
【特許請求の範囲】
【請求項１】
天板（２）の裏面の外周部に断熱材（６）に突き刺し支持する複数の支持脚（３）を突設し、前記天板（２）の裏面中央に容易に切断可能の調節脚（４）を突設すると共に、当該調節脚（４）に所定の間隔で複数の板体（５）を形成したことを特徴とする、レベル調節具
【請求項２】
前記支持脚（３）に多数の凹凸を形成したことを特徴とする、請求項１に記載のレベル調節具
【請求項３】
前記板体（５）を、調節脚（４）を挟んでその両側から交互に形成したことを特徴とする、請求項１又は２に記載のレベル調節具
【発明の詳細な説明】
【技術分野】
【０００１】
本発明は建築物の壁の表面に形成した断熱材の上に、間隔をおいて仕上げ材又は仕上げ下地材を施工するに際して、当該仕上げ材などのレベルを一定に調節するためのレベル調節具に関するものである。
【背景技術】
【０００２】
一般にコンクリート造りの建築物の場合には、冷暖房のエネルギーの節約や結露防止のために、コンクリートの躯体の表面に断熱材を取り付け、断熱性を付与することが行われている。その断熱材としては、発泡プラスチックやウレタンフォームの吹き付けが広く行われている。
【０００３】
そしてその断熱材の上に、建築物の内外壁面を形成する仕上げ材や、その仕上げ材の下地となる仕上げ下地材を取り付けるのであるが、一般に断熱材の表面は必ずしも平らな平面であるとは限らず、凹凸があるため、仕上げ材などを取り付ける際にはその仕上げ材などと断熱材との間隔が一定しない。
【０００４】
そのため断熱材の表面に団子状のモルタルなどを圧着し、断熱材と仕上げ材などとの間にモルタル団子を挟んで仕上げ材のレベルを出すことが行われているが、そのレベル出しの作業は熟練を要するものであった。
【０００５】
また特開２００２−３６４１５０号公報には、外壁と仕上げ材との間に受け金具と弾性体とよりなるレベル調節具を取り付けてレベルを出すことが記載されているが、構造が複雑で高価なものとなるのは避けられない。
【特許文献１】特開２００２−３６４１５０号公報
【発明の開示】
【発明が解決しようとする課題】
【０００６】
本発明はかかる事情に鑑みなされたものであって、構造が簡単で安価に提供することができ、且つ熟練を要することなく容易に仕上げ材などのレベルを出すことのできるレベル調節具を提供することを目的とするものである。
【課題を解決するための手段】
【０００７】
而して本発明は、天板の裏面の外周部に断熱材に突き刺し支持する複数の支持脚を突設し、前記天板の裏面中央に容易に切断可能の調節脚を突設すると共に、当該調節脚に所定の間隔で複数の板体を形成したことを特徴とするものである。本発明においては、前記支持脚に多数の凹凸を形成することが好ましい。また前記板体を、調節脚を挟んでその両側から交互に形成することも好ましい。
【発明の効果】
【０００８】
本発明によれば、仕上げ材などの裏面と断熱材の表面との間隔に応じて、適切な位置で前記調節脚を切断し、前記支持脚を断熱材に突き刺して取り付けることにより、天板の表面が仕上げ材などの裏面に一致し、このレベル調節具に合わせて仕上げ材などを取り付けることにより、そのレベルを正確に出すことができる。
【発明を実施するための最良の形態】
【０００９】
以下本発明の実施の形態を図面に従って説明する。図１は本発明のレベル調節具１の一例を示すものであって、２は円形の天板であり、３はその天板２の裏面外周部の二か所に突設された支持脚であり、４は天板２の裏面中央に突設された調節脚であって、該調節脚４には多数の板体５が形成されている。
【００１０】
このレベル調節具１はプラスチックなどよりなっている。天板２は円形に限られるものではなく、四角形、六角形などであってもよく、その大きさは直径１〜１０cm、好ましくは２〜５cm程度が適当である。
【００１１】
支持脚３は天板２の裏面の外周部に複数設けられる。その数は２〜４個が適当である。そしてその支持脚３には多数の凹凸を形成することにより、この支持脚３を断熱材に突き刺したときに前記凹凸が断熱材に係止し、抜けにくくなる。
【００１２】
また天板２の裏面中央には調節脚４が突設されている。この調節脚４はカッターナイフなどにより任意の位置で容易に切断することが可能であって、その調節脚４には所定の間隔で多数の板体５が形成されている。板体５は直径５〜１０mmで厚みが０．２〜０．５mmの円形とするのが適当であり、その板体５を０．５〜２mm程度のピッチで調節脚４に多数形成する。
【００１３】
なおこの板体５は、図１のように円形の板体５をその中心において調節脚４に取り付けても良いが、図２に示すように半円形の板体５を調節脚４の両側から交互に取り付けることもできる。このようにすることにより、個々の板体５のピッチを小さくすることができ、より精密にレベルを調節することが可能となる。
【００１４】
本発明のレベル調節具１を使用するには、当該レベル調節具１を取り付けるべき位置における断熱材６と仕上げ材７などとの間隔を測定し、その間隔の大きさに合わせて調節脚４を切断し、当該調節脚４の先端と天板２の表面との距離が、前記断熱材６と仕上げ材７などとの間隔に一致するようにする。
【００１５】
この状態で図３に示すように、レベル調節具１の支持脚３を断熱材６に突き刺して、レベル調節具１を断熱材６に取り付ける。このとき調節脚４の先端の板体５が断熱材６に当接し、調節脚４が断熱材６に刺さるのを阻止するので、天板２の表面が正確に仕上げ材７などの裏面のレベルに一致し、天板２に合わせて仕上げ材７などを取り付けることにより、仕上げ材７のレベルを正確に出すことができる。
【００１６】
図４は本発明の他の使用例を示すものであって、断熱材６がコンクリート躯体８に対して鍔付き固定具９で固定されている場合には、支持脚３をその鍔付き固定具９の鍔１０の外周に沿って断熱材６に突き刺し、鍔１０の頂面に調節脚４の先端を当接せしめるのが良い。このようにすることにより、支持脚３の凹凸が鍔１０の周縁に係止して抜けにくいものとなる。
【図面の簡単な説明】
【００１７】
【図１】本発明のレベル調節具を示すものであって、（ａ）は側面図、（ｂ）は裏面図である。
【図２】本発明のレベル調節具の他の例を示す側面図
【図３】本発明のレベル調節具の使用状態を示す断面図
【図４】本発明のレベル調節具の他の使用例を示す断面図
【符号の説明】
【００１８】
１  レベル調節具
２  天板
３  支持脚
４  調節脚
５  板体
【図１】
2008095462.tif 000003
【図２】
2008095462.tif 000004
【図３】
2008095462.tif 000005
【図４】
2008095462.tif 000006